(57)【要約】【課題】接続された端末装置に対する操作に応じて通信できる携帯端末、通信制御プログラム、及び通信制御方法、接続された携帯端末の通信を操作に応じて制御できる端末装置及び通信制御プログラムを提供する。【解決手段】携帯端末２００は、操作部が、通信の開始を指示する通信操作に応じた信号と、通信先を指示する通信先指示操作に応じた信号と、を出力すると、通信先指示操作で指示された通信先と通信するように基地局通信部２２０を制御し、端末通信部２３０が、通信の開始を指示する通信コマンドと、通信先を指示する通信先指示コマンドと、を受信すると、通信先指示コマンドで指示された通信先と通信するように基地局通信部２２０を制御する。【選択図】図１１
2013197629.tif 000002
【特許請求の範囲】
【請求項１】
ユーザの操作に応じた信号を出力する操作手段と、
基地局と通信する基地局通信手段と、
接続された端末装置と通信する端末通信手段と、
前記操作手段が、通信先を指示する通信先指示操作に応じた信号と、前記通信先への発信を指示する発信指示操作に応じた信号と、を出力すると、前記通信先指示操作で指示された通信先へ発信するように前記基地局通信手段を制御し、前記端末通信手段が、発信を指示する発信指示コマンドと、通信先を指示する通信先指示コマンドと、を受信すると、前記通信先指示コマンドで指示された通信先へ発信するように前記基地局通信手段を制御する通信制御手段と、を備える、
ことを特徴とする携帯端末。
【請求項２】
前記通信先は、通話先を含み、
前記通信制御手段は、通話先を指示する通話先指示操作に応じた信号と、前記通話先への音声発信を指示する音声発信指示操作に応じた信号と、を前記操作手段が出力すると、前記通話先指示操作で指示された通話先へ音声発信するように前記基地局通信手段を制御し、前記端末通信手段が、音声発信を指示する音声発信指示コマンドと、通話先を指示する通話先指示コマンドと、を受信すると、前記通話先指示コマンドで指示された通話先へ音声発信するように前記基地局通信手段を制御する、
ことを特徴とする請求項１に記載の携帯端末。
【請求項３】
前記通信先は、電子メールの送信先を含み、
前記通信制御手段は、電子メールの送信先のメールアカウントを指示する送信先指示操作に応じた信号と、電子メールの送信を指示するメール送信指示操作に応じた信号と、を前記操作手段が出力すると、前記送信先指示操作で指示されたメールアカウントを管理するメールサーバへ電子メールを送信するように前記基地局通信手段を制御し、メールアカウントを指示する送信先指示コマンドと、電子メールの送信を指示する送信指示コマンドと、を前記端末通信手段が受信すると、前記送信先指示コマンドで指示されたメールアカウントを管理するメールサーバへ電子メールを送信するように前記基地局通信手段を制御する、
ことを特徴とする請求項１又は２に記載の携帯端末。
【請求項４】
前記基地局通信手段に着信があったことを通知する通知手段と、
着信を前記端末装置に通知させるか否かを定めた通知設定を記憶する記憶手段と、をさらに備え、
前記通信制御手段は、前記記憶手段が記憶する通知設定が着信を前記端末装置に通知させると定める場合に、前記基地局通信手段に着信があると、前記基地局通信手段に着信があったことを表す着信情報を前記端末装置へ送信するように前記端末通信手段を制御し、前記通知設定が着信を前記端末装置に通知させないと定める場合に、前記基地局通信手段に着信があると、当該着信を通知するように前記通知手段を制御する、
ことを特徴とする請求項１から３のいずれか一項に記載の携帯端末。
【請求項５】
前記着信は、音声着信を含み、
前記通知手段は、前記基地局通信手段に音声着信があったことを通知し、
前記記憶手段は、音声着信を前記端末装置に通知させるか否かを定めた音声着信通知設定を記憶し、
前記通信制御手段は、前記記憶手段が記憶する音声着信通知設定が音声着信を前記端末装置に通知させると定める場合に、前記基地局通信手段に音声着信があると、前記基地局通信手段に音声着信があったことを表す音声着信情報を前記端末装置へ送信するように前記端末通信手段を制御し、前記音声着信通知設定が音声着信を前記端末装置に通知させないと定める場合に、前記基地局通信手段に音声着信があると、当該音声着信を通知するように前記通知手段を制御する、
ことを特徴とする請求項４に記載の携帯端末。
【請求項６】
前記着信は、メール着信を含み、
前記基地局通信手段は、電子メールを受信し、
前記通知手段は、前記基地局通信手段にメール着信があったことを通知し、
前記記憶手段は、メール着信を前記端末装置に通知させるか否かを定めたメール着信通知設定をさらに記憶し、
前記通信制御手段は、前記記憶手段が記憶するメール着信通知設定がメール着信を前記端末装置に通知させると定める場合に、前記基地局通信手段にメール着信があると、前記基地局通信手段にメール着信があったことを表すメール着信情報を前記端末装置へ送信するように前記端末通信手段を制御し、前記メール着信通知設定がメール着信を前記端末装置に通知させないと定める場合に、前記基地局通信手段にメール着信があると、当該メール着信を通知するように前記通知手段を制御する、
ことを特徴とする請求項４又は５に記載の携帯端末。
【請求項７】
ユーザの操作に応じた信号を出力する操作手段と、基地局と通信する基地局通信手段と、接続された端末装置と通信する端末通信手段と、を備えた携帯端末のコンピュータを、
前記操作手段が、通信先を指示する通信先指示操作に応じた信号と、前記通信先への発信を指示する発信指示操作に応じた信号と、を出力すると、前記通信先指示操作で指示された通信先へ発信するように前記基地局通信手段を制御し、前記端末通信手段が、発信を指示する発信指示コマンドと、通信先を指示する通信先指示コマンドと、を受信すると、前記通信先指示コマンドで指示された通信先へ発信するように前記基地局通信手段を制御する通信制御手段、として機能させる、
ことを特徴とする通信制御プログラム。
【請求項８】
操作手段が、ユーザの操作に応じた信号を出力する操作ステップと、
基地局通信手段が、基地局と通信する基地局通信ステップと、
端末通信手段が、接続された端末装置と通信する端末通信ステップと、
前記操作手段が、通信先を指示する通信先指示操作に応じた信号と、前記通信先への発信を指示する発信指示操作に応じた信号と、を前記操作ステップで出力すると、前記通信先指示操作で指示された通信先へ発信するように前記基地局通信手段を制御し、前記端末通信手段が、発信を指示する発信指示コマンドと、通信先を指示する通信先指示コマンドと、を前記端末通信ステップで受信すると、前記通信先指示コマンドで指示された通信先へ前記基地局通信ステップで発信するように前記基地局通信手段を、通信制御部が制御する通信制御ステップと、を有する、
ことを特徴とする通信制御方法。
【請求項９】
ユーザの操作に応じた信号を出力する操作手段と、
接続された携帯端末と通信する端末通信手段と、
前記操作手段が、通信先を指示する通信先指示操作に応じた信号と、前記通信先への発信を指示する発信指示操作に応じた信号と、を出力すると、前記通信先を指示する通信先指示コマンドと、前記通信先への発信を指示する発信指示コマンドと、を送信するように前記端末通信手段を制御する通信制御手段と、を備える、
ことを特徴とする端末装置。
【請求項１０】
ユーザの操作に応じた信号を出力する操作手段と、接続された携帯端末と通信する端末通信手段と、を備えた端末装置のコンピュータを、
前記操作手段が、通信先を指示する通信先指示操作に応じた信号と、前記通信先への発信を指示する発信指示操作に応じた信号と、を出力すると、前記通信先を指示する通信先指示コマンドと、前記通信先への発信を指示する発信指示コマンドと、を送信するように前記端末通信手段を制御する通信制御手段、として機能させる、
ことを特徴とする通信制御プログラム。
【発明の詳細な説明】
【技術分野】
【０００１】
本発明は、携帯端末、端末装置、通信制御プログラム、及び通信制御方法に関する。
【背景技術】
【０００２】
特許文献１には、タッチパネルにユーザの指が触れた位置と、タッチパネル上に表示された操作ボタンの位置と、に基づいてユーザの操作を特定し、特定した操作に応じて通信を行う携帯端末が開示されている。
【先行技術文献】
【特許文献】
【０００３】
【特許文献１】特開２０１０−２６３４３３号公報
【発明の概要】
【発明が解決しようとする課題】
【０００４】
ここで、ある携帯端末の操作に習熟しているが、ある携帯端末の操作に習熟していないユーザにとっては、操作に習熟していない携帯端末の操作性が低い。このため、携帯端末を、当該携帯端末とは異なる端末装置で操作したいという要望がある。
【０００５】
しかし、特許文献１に開示されている携帯端末は、当該携帯端末でしか操作できず、当該携帯端末と異なる端末装置で操作できないという問題があった。
【０００６】
本発明は、このような点に鑑みてなされたものであり、その目的とするところは、接続された端末装置に対する操作に応じて通信できる携帯端末、通信制御プログラム、及び通信制御方法、並びに接続された携帯端末の通信を操作に応じて制御できる端末装置及び通信制御プログラムを提供することにある。
【課題を解決するための手段】
【０００７】
本発明の第１の観点に係る携帯端末は、
ユーザの操作に応じた信号を出力する操作手段と、
基地局と通信する基地局通信手段と、
接続された端末装置と通信する端末通信手段と、
前記操作手段が、通信先を指示する通信先指示操作に応じた信号と、前記通信先への発信を指示する発信指示操作に応じた信号と、を出力すると、前記通信先指示操作で指示された通信先へ発信するように前記基地局通信手段を制御し、前記端末通信手段が、発信を指示する発信指示コマンドと、通信先を指示する通信先指示コマンドと、を受信すると、前記通信先指示コマンドで指示された通信先へ発信するように前記基地局通信手段を制御する通信制御手段と、を備える、
ことを特徴としている。
【０００８】
上記第１の観点に係る携帯端末において、
前記通信先は、通話先を含み、
前記通信制御手段は、通話先を指示する通話先指示操作に応じた信号と、前記通話先への音声発信を指示する音声発信指示操作に応じた信号と、を前記操作手段が出力すると、前記通話先指示操作で指示された通話先へ音声発信するように前記基地局通信手段を制御し、前記端末通信手段が、音声発信を指示する音声発信指示コマンドと、通話先を指示する通話先指示コマンドと、を受信すると、前記通話先指示コマンドで指示された通話先へ音声発信するように前記基地局通信手段を制御する、
としても良い。
【０００９】
上記第１の観点に係る携帯端末において、
前記通信先は、電子メールの送信先を含み、
前記通信制御手段は、電子メールの送信先のメールアカウントを指示する送信先指示操作に応じた信号と、電子メールの送信を指示するメール送信指示操作に応じた信号と、を前記操作手段が出力すると、前記送信先指示操作で指示されたメールアカウントを管理するメールサーバへ電子メールを送信するように前記基地局通信手段を制御し、メールアカウントを指示する送信先指示コマンドと、電子メールの送信を指示する送信指示コマンドと、を前記端末通信手段が受信すると、前記送信先指示コマンドで指示されたメールアカウントを管理するメールサーバへ電子メールを送信するように前記基地局通信手段を制御する、
としても良い。
【００１０】
上記第１の観点に係る携帯端末において、
前記基地局通信手段に着信があったことを通知する通知手段と、
着信を前記端末装置に通知させるか否かを定めた通知設定を記憶する記憶手段と、をさらに備え、
前記通信制御手段は、前記記憶手段が記憶する通知設定が着信を前記端末装置に通知させると定める場合に、前記基地局通信手段に着信があると、前記基地局通信手段に着信があったことを表す着信情報を前記端末装置へ送信するように前記端末通信手段を制御し、前記通知設定が着信を前記端末装置に通知させないと定める場合に、前記基地局通信手段に着信があると、当該着信を通知するように前記通知手段を制御する、
としても良い。
【００１１】
上記第１の観点に係る携帯端末において、
前記着信は、音声着信を含み、
前記通知手段は、前記基地局通信手段に音声着信があったことを通知し、
前記記憶手段は、音声着信を前記端末装置に通知させるか否かを定めた音声着信通知設定を記憶し、
前記通信制御手段は、前記記憶手段が記憶する音声着信通知設定が音声着信を前記端末装置に通知させると定める場合に、前記基地局通信手段に音声着信があると、前記基地局通信手段に音声着信があったことを表す音声着信情報を前記端末装置へ送信するように前記端末通信手段を制御し、前記音声着信通知設定が音声着信を前記端末装置に通知させないと定める場合に、前記基地局通信手段に音声着信があると、当該音声着信を通知するように前記通知手段を制御する、
としても良い。
【００１２】
上記第１の観点に係る携帯端末において、
前記着信は、メール着信を含み、
前記基地局通信手段は、電子メールを受信し、
前記通知手段は、前記基地局通信手段にメール着信があったことを通知し、
前記記憶手段は、メール着信を前記端末装置に通知させるか否かを定めたメール着信通知設定をさらに記憶し、
前記通信制御手段は、前記記憶手段が記憶するメール着信通知設定がメール着信を前記端末装置に通知させると定める場合に、前記基地局通信手段にメール着信があると、前記基地局通信手段にメール着信があったことを表すメール着信情報を前記端末装置へ送信するように前記端末通信手段を制御し、前記メール着信通知設定がメール着信を前記端末装置に通知させないと定める場合に、前記基地局通信手段にメール着信があると、当該メール着信を通知するように前記通知手段を制御する、
としても良い。
【００１３】
本発明の第２の観点に係る通信制御プログラムは、
ユーザの操作に応じた信号を出力する操作手段と、基地局と通信する基地局通信手段と、接続された端末装置と通信する端末通信手段と、を備えた携帯端末のコンピュータを、
前記操作手段が、通信先を指示する通信先指示操作に応じた信号と、前記通信先への発信を指示する発信指示操作に応じた信号と、を出力すると、前記通信先指示操作で指示された通信先へ発信するように前記基地局通信手段を制御し、前記端末通信手段が、発信を指示する発信指示コマンドと、通信先を指示する通信先指示コマンドと、を受信すると、前記通信先指示コマンドで指示された通信先へ発信するように前記基地局通信手段を制御する通信制御手段、として機能させる、
ことを特徴としている。
【００１４】
本発明の第３の観点に係る通信制御方法は、
操作手段が、ユーザの操作に応じた信号を出力する操作ステップと、
基地局通信手段が、基地局と通信する基地局通信ステップと、
端末通信手段が、接続された端末装置と通信する端末通信ステップと、
前記操作手段が、通信先を指示する通信先指示操作に応じた信号と、前記通信先への発信を指示する発信指示操作に応じた信号と、を前記操作ステップで出力すると、前記通信先指示操作で指示された通信先へ発信するように前記基地局通信手段を制御し、前記端末通信手段が、発信を指示する発信指示コマンドと、通信先を指示する通信先指示コマンドと、を前記端末通信ステップで受信すると、前記通信先指示コマンドで指示された通信先へ前記基地局通信ステップで発信するように前記基地局通信手段を、通信制御部が制御する通信制御ステップと、を有する、
ことを特徴としている。
【００１５】
本発明の第４の観点に係る端末装置は、
ユーザの操作に応じた信号を出力する操作手段と、
接続された携帯端末と通信する端末通信手段と、
前記操作手段が、通信先を指示する通信先指示操作に応じた信号と、前記通信先への発信を指示する発信指示操作に応じた信号と、を出力すると、前記通信先を指示する通信先指示コマンドと、前記通信先への発信を指示する発信指示コマンドと、を送信するように前記端末通信手段を制御する通信制御手段と、を備える、
ことを特徴としている。
【００１６】
本発明の第５の観点に係る通信制御プログラムは、
ユーザの操作に応じた信号を出力する操作手段と、接続された携帯端末と通信する端末通信手段と、を備えた端末装置のコンピュータを、
前記操作手段が、通信先を指示する通信先指示操作に応じた信号と、前記通信先への発信を指示する発信指示操作に応じた信号と、を出力すると、前記通信先を指示する通信先指示コマンドと、前記通信先への発信を指示する発信指示コマンドと、を送信するように前記端末通信手段を制御する通信制御手段、として機能させる、
ことを特徴としている。
【発明の効果】
【００１７】
本発明によれば、接続された端末装置に対する操作に応じて通信できる携帯端末、通信制御プログラム、及び通信制御方法、接続された携帯端末の通信を操作に応じて制御できる端末装置及び通信制御プログラムを提供できる。
【図面の簡単な説明】
【００１８】
【図１】通信システムを表すシステム構成図である。
【図２】本実施形態に係る端末装置の正面図である。
【図３】端末装置のハードウェア構成図である。
【図４】端末装置が実行する通信制御処理を表すフローチャートである。
【図５】端末装置の機能ブロック図である。
【図６】端末装置が実行する発信制御処理を表すフローチャートである。
【図７】本実施形態に係る携帯端末の正面図である。
【図８】携帯端末のハードウェア構成図である。
【図９】携帯端末が記憶する設定テーブルを表す図である。
【図１０】携帯端末が実行する通信制御処理を表すフローチャートである。
【図１１】携帯端末の機能ブロック図である。
【図１２】携帯端末が実行する被制御処理を表すフローチャートである。
【図１３】携帯端末が実行する通知制御処理を表すフローチャートである。
【図１４】端末装置が実行する通知制御処理を表すフローチャートである。
【発明を実施するための形態】
【００１９】
以下、通信システム１について、添付図面を参照しつつ説明する。
【００２０】
本発明の実施形態に係る端末装置１００と携帯端末２００とは、図１に示すような通信システム１を構成する。
【００２１】
端末装置１００は、キーボードで構成される操作部１１４を有し、携帯端末２００は、タッチパネルで構成される操作部２１４を有する。
【００２２】
ここでは、キーボードで構成される操作部１１４の操作に習熟しているが、タッチパネルで構成される操作部２１４の操作に習熟していないユーザが、端末装置１００及び携帯端末２００を操作する場合を例に挙げて説明する。
【００２３】
端末装置１００及び携帯端末２００は、基地局１０を介して携帯端末３００と、通話音声を表す音声信号を通信でき、基地局１０を介してメールサーバ４００と電子メール（以下単に、メールという）を通信できる。
【００２４】
しかし、ユーザは、携帯端末２００が有する操作部２１４の操作に習熟していないので、端末装置１００が有する操作部１１４を操作し、携帯端末２００の音声発信及びメールの送信（以下、メール送信という）を、端末装置１００に制御させる。
【００２５】
端末装置１００は、携帯端末２００と接続し、ユーザの操作により通話先の電話番号を入力されると、入力された電話番号が割り当てられた通話先へ、基地局１０を介して発信するように携帯端末２００を制御する。端末装置１００は、携帯端末２００と通話先との通話が開始すると、携帯端末２００に通話音声を表す音声信号を転送させる。これにより、ユーザは、端末装置１００を操作することで、携帯端末２００を介して通話先と通話できる。
【００２６】
また、端末装置１００は、ユーザの操作により送信先のメールアドレスを入力されると、入力されたメールアドレスを管理するメールサーバ４００に、電子メールを送信するように携帯端末２００を制御する。これにより、ユーザは、端末装置１００を操作することで、携帯端末２００を介して送信先にメールを送信できる。
【００２７】
次に、図２を参照して、端末装置１００のハードウェア構成について説明する。
【００２８】
端末装置１００の前面には、図２に示すように、表示装置１１３、操作部１１４、マイクロフォン１１６、及びスピーカ１１７が配置されている。
【００２９】
操作部１１４は、各種キーからなるキーボードで構成され、ユーザのキーボード操作に応じた信号（以下、操作信号という）を出力する。表示装置１１３は、ＬＣＤ（Liquid Crystal Display）や有機ＥＬディスプレイなどの表示パネルで構成され、各種の操作画面を表示する。マイクロフォン１１６は、入力音声を電気信号に変換する。スピーカ１１７は、音声を出力する。
【００３０】
端末装置１００の内部には、図３に示すように、互いにバス１１９で接続されたＣＰＵ（Central Processing Unit）１０１、ＲＯＭ（Read Only Memory）１０２、ＲＡＭ（Random Access Memory）１０３、外部記憶装置１０４、第１信号処理回路１０６、第２信号処理回路１０８、前述の表示装置１１３及び操作部１１４、音声入出力回路１１５、並びに内部クロック１１８が配置されている。
【００３１】
ＣＰＵ１０１は、ＲＯＭ１０２若しくは外部記憶装置１０４に保存されたプログラムを実行することで、端末装置１００の全体制御を行う。ＲＡＭ１０３は、ＣＰＵ１０１のワークメモリとして機能し、ＣＰＵ１０１によるプログラムの実行時において、処理対象のプログラムを記憶する。
【００３２】
尚、ＲＯＭ１０２は、フラッシュメモリ等の書き換え可能な不揮発性メモリでも良い。また、ＲＡＭ１０３は、電源供給が不要なフラッシュメモリなどの書き換え可能な不揮発性メモリでも良い。不揮発性メモリは、書き込み速度が比較的遅いがランダムアクセス性に優れたＮＯＲ型フラッシュメモリや、ブロック単位での読み書きが必要なＮＡＮＤ型フラッシュメモリでも良い。
【００３３】
外部記憶装置１０４は、フラッシュメモリ装置、ハードディスク装置等から構成され、ＣＰＵ１０１が実行する各種のプログラムや、ＣＰＵ１０１がプログラムを実行する際に参照する各種のデータを記憶する。
【００３４】
第１信号処理回路１０６は、第１アンテナ１０５に接続されている。第１アンテナ１０５は、基地局から送信された電波を受信し、受信した電波に応じた信号を出力する。第１信号処理回路１０６は、ＬＴＥ（Long Term Evolution）若しくはＷ−ＣＤＭＡ（Wideband Code Division Multiple Access）規格に従って、第１アンテナ１０５が出力した信号を処理し、処理した信号をＣＰＵ１０１へ出力する。
【００３５】
また、第１信号処理回路１０６は、ＣＰＵ１０１の制御に従って、ＣＰＵ１０１から出力された信号に、上記規格で定められた各種処理を施してから第１アンテナ１０５を介して電波として出力する。
【００３６】
第２信号処理回路１０８は、第２アンテナ１０７に接続されている。第２信号処理回路１０８は、第２アンテナ１０７を介して携帯端末２００から電波を受信し、受信した電波を復調した信号をＣＰＵ１０１へ出力する。
【００３７】
また、第２信号処理回路１０８は、ＣＰＵ１０１の制御に従って、ＣＰＵ１０１から出力された信号に、変調処理などの各種信号処理を施してから第２アンテナ１０７を介して電波として出力する。
【００３８】
表示装置１１３は、パネルコントローラ１１３１及び前述の表示パネル１１３２で構成される。パネルコントローラ１１３１は、ＣＰＵ１０１から指示された画像を表示パネル１１３２に表示するため、駆動信号（例えば、画像信号と走査信号）を表示パネル１１３２に出力する。
【００３９】
操作部１１４は、入力制御回路１１４１と、キーボード１１４２と、で構成される。入力制御回路１１４１は、ユーザのキーボード１１４２操作に応じた操作信号をＣＰＵ１０１へ出力する。
【００４０】
内部クロック１１８は、現在日時を計時する。
【００４１】
音声入出力回路１１５は、マイクロフォン１１６が入力した音声に対して、例えば、各種圧縮処理やノイズ除去処理を施した後に、ＣＰＵ１０１へ出力する。また、音声入出力回路１１５は、ＣＰＵ１０１から出力された信号に各種信号処理を施した後に、スピーカ１１７へ出力する。
【００４２】
次に、図４から図６を参照して、ＣＰＵ１０１の機能について説明する。
ＣＰＵ１０１は、図４に示す通信制御処理を実行することで、図５に示す入力部１４０及び通信制御部１９０として機能する。また、ＣＰＵ１０１は、第１信号処理回路１０６と協働して基地局通信部１２０として機能する。さらに、ＣＰＵ１０１は、第２信号処理回路１０８と協働して端末通信部１３０として機能する。またさらに、ＣＰＵ１０１は、表示装置１１３と協働して通知部１５０として機能する。
【００４３】
基地局通信部１２０は、図１に示した基地局１０と通信する。端末通信部１３０は、端末装置１００と通信する。入力部１４０は、図２に示した操作部１１４から操作信号を入力する。通知部１５０は、音声着信の有無及びメール着信の有無を、例えば、メッセージの表示若しくはアイコンの表示により端末装置１００のユーザへ通知する。通信制御部１９０は、基地局１０と基地局通信部１２０との通信及び端末装置１００と端末通信部１３０との通信を制御する。
【００４４】
次に、図５に示した基地局通信部１２０、端末通信部１３０、入力部１４０、通知部１５０、及び通信制御部１９０で行われるＣＰＵ１０１の動作について、ユーザが端末装置１００を操作して、携帯端末２００に音声発信させる場合を例に挙げて説明する。
【００４５】
ＣＰＵ１０１は、起動すると、基地局通信部１２０若しくは端末通信部１３０が行う通信を制御する、図４に示す通信制御処理の実行を開始する。
【００４６】
先ず、通信制御部１９０は、操作部１１４が出力する信号に基づいて、操作部１１４がユーザによって操作されたか否かを判別する（ステップＳ０１）。
【００４７】
このとき、ユーザは、携帯端末２００を端末装置１００に制御させるため、携帯端末２００と接続するように端末装置１００へ指示する操作（以下、接続指示操作という）を、操作部１１４に行うとして説明する。
【００４８】
このとき、通信制御部１９０は、操作部１１４がユーザによって操作されたと判別し（ステップＳ０１；Ｙｅｓ）、携帯端末２００に発信を行わせる、図６に示すような発信制御処理を実行する（ステップＳ０２）。その後、ステップＳ０１に戻り、電源がＯＦＦにされるまで、図４に示した処理を繰り返す。
【００４９】
図６に示す発信制御処理の実行を開始すると、図５に示す入力部１４０は、図２に示した操作部１１４から操作信号を入力する（ステップＳ１１）。
【００５０】
次に、通信制御部１９０は、入力された操作信号が、接続指示操作に応じて出力された操作信号（以下、接続指示操作信号という）であるか否かを判別する（ステップＳ１２）。このとき、通信制御部１９０は、入力された操作信号が接続指示操作信号であると判別する（ステップＳ１２；Ｙｅｓ）。
【００５１】
その後、通信制御部１９０は、接続の許可を求める接続許可要求を携帯端末２００へ送信するように端末通信部１３０を制御する（ステップＳ１３）。
【００５２】
ここでは、端末通信部１３０は、接続許可要求を受信すると必ず接続許可応答を送信するとして説明する。
【００５３】
端末通信部１３０は、接続許可応答を受信する（ステップＳ１４）。次に、通信制御部１９０は、携帯端末２００との接続を開始するように端末通信部１３０を制御する（ステップＳ１５）。
【００５４】
このとき、ユーザは、通話先の電話番号を指示する操作（以下、通話先指示操作という）と、当該通話先への音声発信を指示する操作（以下、音声発信指示操作という）と、を、操作部１１４に行うとして説明する。
【００５５】
入力部１４０は、操作部１１４から通話先指示操作に応じた操作信号（以下、通話先指示操作信号という）と、音声発信指示操作に応じた操作信号（以下、音声発信指示操作信号という）と、を入力する（ステップＳ１６）。
【００５６】
次に、通信制御部１９０は、入力部１４０が入力した操作信号が、音声発信指示操作信号であるか否かを判別する（ステップＳ１７）。このとき、通信制御部１９０は、入力部１４０が入力した操作信号が、音声発信指示操作信号であると判別する（ステップＳ１７；Ｙｅｓ）。
【００５７】
その後、通信制御部１９０は、入力された通話先指示操作信号と、音声発信指示操作信号と、に基づいて、通話先を指示する通話先指示コマンドと、通話先への音声発信を指示する音声発信指示コマンドと、を、生成する。その後、通信制御部１９０は、通話先指示コマンドと、音声発信指示コマンドと、を、携帯端末２００へ送信するように、端末通信部１３０を制御する（ステップＳ１９）。
【００５８】
ここで、携帯端末２００は、音声発信指示コマンドに従い、通話先指示コマンドに指示された通話先へ音声発信する。その後、携帯端末２００は、通話先と接続し、通話音声を表す音声信号の通信を開始するとして説明する。
【００５９】
次に、通信制御部１９０は、音声信号の転送を指示する転送指示コマンドを携帯端末２００へ送信する。携帯端末２００は、転送指示コマンドに従って、通話先から受信した音声信号を端末装置１００へ転送する。その後、通信制御部１９０は、携帯端末２００から端末通信部１３０が受信した音声信号を、図３に示した音声入出力回路１１５へ出力することで、スピーカ１１７から通話音声を出力させる。
【００６０】
また、通信制御部１９０は、マイクロフォン１１６が収集した通話音声を表す音声信号を音声入出力回路１１５から入力し、入力した音声信号を携帯端末２００へ送信するように端末通信部１３０を制御する。その後、携帯端末２００は、端末装置１００から受信した音声信号を通話先へ転送する。
【００６１】
このようにして、通信制御部１９０は、携帯端末２００を介して通話先と音声信号を通信する（ステップＳ２０）。
【００６２】
その後、通信制御部１９０は、携帯端末２００との接続を終了するように端末通信部１３０を制御してから（ステップＳ２１）、発信制御処理の実行を終了する。
【００６３】
尚、ステップＳ１２において、通信制御部１９０が入力された操作信号が接続指示操作信号でないと判別すると（ステップＳ１２；Ｎｏ）、入力された操作信号に応じて音声発信若しくはメール送信するように基地局通信部１２０を制御した後に（ステップＳ２３）、発信制御処理の実行を終了する。
【００６４】
これらの構成によれば、通信制御部１９０は、通話先指示操作信号と音声発信指示操作信号とを操作部１１４が出力すると、通話先指示コマンドと音声発信指示コマンドとを送信するように端末通信部１３０を制御する。このため、接続された携帯端末１００の通話を、操作部１１４に対する操作に応じて制御できるので、ユーザが、携帯端末２００の操作部２１４よりも端末装置１００の操作部１１４の操作に習熟していれば、携帯端末２００に対するユーザの操作性が向上する。
【００６５】
次に、端末装置１００に制御される携帯端末２００の構成について説明する。
【００６６】
図７に示すように、携帯端末２００の前面には、タッチパネルで構成される操作部２１４と、マイクロフォン２１６、及びスピーカ２１７が配置されている。
【００６７】
操作部２１４は、表示パネルの表示面上に配置されたタッチパネル（位置入力装置）２１４３で構成され、タッチされた位置を表す信号を出力する。
【００６８】
携帯端末２００の内部には、図８に示すように、互いにバス２１９で接続されたＣＰＵ２０１、ＲＯＭ２０２、ＲＡＭ２０３、外部記憶装置２０４、第１信号処理回路２０６、第２信号処理回路２０８、前述の操作部２１４、音声入出力回路２１５、及び内部クロック２１８が配置されている。
【００６９】
ＣＰＵ２０１、ＲＯＭ２０２、ＲＡＭ２０３、外部記憶装置２０４、第１信号処理回路２０６、第２信号処理回路２０８、音声入出力回路２１５、及び内部クロック２１８は、図３を参照して説明したＣＰＵ１０１、ＲＯＭ１０２、ＲＡＭ１０３、外部記憶装置１０４、第１信号処理回路１０６、第２信号処理回路１０８、音声入出力回路１１５、及び内部クロック１１８と同様であるので説明を省略する。
【００７０】
操作部２１４は、パネルコントローラ２１４１及び前述のタッチパネル２１４３で構成される。パネルコントローラ２１４１には、タッチパネル２１４３及び表示パネル２１３が接続されている。
【００７１】
パネルコントローラ２１４１は、ＣＰＵ２０１から指示された画像を表示パネル２１３に表示するため、駆動信号を表示パネル２１３に出力する。
【００７２】
タッチパネル２１４３は、表示パネル２１３の表示画面に積層され、ユーザのタッチ操作を検出し、操作位置を示す信号をＣＰＵ２０１に出力する。
【００７３】
次に、外部記憶装置２０４に格納されるテーブルについて、図９を参照して説明する。
【００７４】
外部記憶装置２０４は、図９（ａ）に示すような、設定項目と設定内容とを対応付けたレコードが複数保存された設定テーブルを記憶している。設定項目には、「着信設定」及び「通知設定」がある。
【００７５】
「着信設定（以下、リモート動作モードという）」とは、携帯端末２００の制御に従って端末装置１００に、音声着信若しくはメール着信を通知させるリモート動作モードへの移行を許可するか否かを設定する設定項目である。「着信通知設定」とは、携帯端末２００の着信を端末装置１００で通知することを許可するか、着信を端末装置１００で通知することを許可せずに、携帯端末２００で通知するか、を設定する設定項目である。
【００７６】
「着信通知設定」には、「メール着信通知設定」及び「音声着信通知設定」が含まれる。「音声着信通知設定」とは、携帯端末２００の音声着信を端末装置１００で通知することを許可するか、音声着信を端末装置１００で通知することを許可せずに、携帯端末２００で通知するか、を設定する設定項目である。「メール着信通知設定」とは、携帯端末２００のメール着信を端末装置１００で通知するか、メール着信を端末装置１００で通知することを許可せずに、携帯端末２００で通知するか、を設定する設定項目である。設定内容は、「ON」と「OFF」とがあり、「ON」は許可する設定を表し、「OFF」は許可しない設定を表す。
【００７７】
すなわち、リモート動作モードへの移行を許可し、音声着信及びメール着信を端末装置１００で通知する、と定める設定は、図９（ａ）に示すように、「リモート動作モード」、「メール着信通知設定」、及び「音声着信通知設定」がいずれも「ON」である。
【００７８】
これに対して、リモート動作モードへの移行を許可し、メール着信を端末装置１００で通知するが、音声着信を携帯端末２００で通知する、と定める設定は、図９（ｂ）に示すように、「リモート動作モード」及び「音声着信通知設定」が「ON」であるが、「メール着信通知設定」が「OFF」である。
【００７９】
また、リモート動作モードへの移行を許可し、音声着信を端末装置１００で通知するが、メール着信を携帯端末２００で通知する、と定める設定は、図９（ｃ）に示すように、「リモート動作モード」及び「メール着信通知設定」が「ON」であるが、「音声着信通知設定」が「OFF」である。
【００８０】
さらに、リモート動作モードへの移行を許可しない場合には、音声着信及びメール着信を携帯端末２００で通知するので、設定は、図９（ｄ）に示すように、「リモート動作モード」、「音声着信通知設定」、及び「メール着信通知設定」が「OFF」である。
【００８１】
尚、「リモート動作モード」、「音声着信通知設定」、及び「メール着信通知設定」をそれぞれ「ON」若しくは「OFF」に変更する操作をユーザが操作部２１４に行うと、ＣＰＵ２０１は、操作部２１４から出力される信号に基づいて設定テーブルを更新する。
【００８２】
次に、図１０から図１３を参照して、携帯端末２００の有するＣＰＵ２０１の機能について説明する。
ＣＰＵ２０１は、図１０に示す通信制御処理を実行することで、図１１に示す入力部２４０及び通信制御部２９０として機能する。また、ＣＰＵ２０１は、第１信号処理回路２０６と協働して基地局通信部２２０として機能する。さらに、ＣＰＵ２０１は、第２信号処理回路２０８と協働して端末通信部２３０として機能する。またさらに、ＣＰＵ２０１は、図８に示すパネルコントローラ２１４１及び表示パネル２１３と協働して通知部２５０として機能する。さらに、ＣＰＵ２０１は、図８に示す外部記憶装置２０４と協働して情報記憶部２６０として機能する。
【００８３】
基地局通信部２２０は、図１に示した基地局１０と通信する。端末通信部２３０は、端末装置１００と通信する。入力部２４０は、図８に示した操作部２１４から操作信号を入力する。通知部２５０は、音声着信の有無及びメール着信の有無を、例えば、メッセージの表示若しくはアイコンの表示により携帯端末２００のユーザへ通知する。通信制御部２９０は、基地局１０と基地局通信部２２０との通信及び端末装置１００と端末通信部２３０との通信を制御する。
【００８４】
次に、図１１に示した基地局通信部２２０、端末通信部２３０、入力部２４０、通知部２５０、及び通信制御部２９０で行われるＣＰＵ２０１の動作について、図６のステップＳ１９で端末装置１００から送信された通話先指示コマンド及び音声発信指示コマンドを携帯端末２００が受信する場合を例に挙げて説明する。
【００８５】
ＣＰＵ２０１は、起動すると、基地局通信部２２０若しくは端末通信部２３０が行う通信を制御する、図１０に示す通信制御処理の実行を開始する。
【００８６】
通信制御処理の実行を開始すると、通信制御部２９０は、基地局通信部２２０若しくは端末通信部２３０に着信があったか否かを判別する（ステップＳ３１）。このとき、通信制御部２９０は、端末通信部２３０に着信があったと判別する（ステップＳ３１；Ｙｅｓ）。
【００８７】
次に、通信制御部２９０は、端末装置１００からの着信であるか、基地局１０からの着信であるか、を判別する（ステップＳ３２）。このとき、通信制御部２９０は、端末装置１００からの着信であると判別する（ステップＳ３２；Ｙｅｓ）。
【００８８】
その後、ＣＰＵ２０１は、端末装置１００の制御に従って音声発信などする、図１２に示す被制御処理を実行した後に（ステップＳ３３）、電源がＯＦＦにされるまで、図１０に示す処理を繰り返す。
【００８９】
このとき、端末装置１００は、コマンドを送信するに先立って、図６に示したステップＳ１３において、接続許可要求を携帯端末２００に送信する。
【００９０】
図１２に示す被制御処理の実行を開始すると、端末通信部２３０が端末装置１００から接続許可要求を受信する（ステップＳ４１）。
【００９１】
次に、通信制御部２９０は、接続許可応答を端末装置１００へ送信するように端末通信部２３０を制御する（ステップＳ４２）。
【００９２】
その後、通信制御部２９０は、端末通信部２３０と端末装置１００との接続を開始させる（ステップＳ４３）。
【００９３】
このとき、端末装置１００は、図６のステップＳ１９において、通話先指示コマンドと、音声発信指示コマンドと、を、携帯端末２００に送信する。
【００９４】
その後、端末通信部２３０は、通話先指示コマンドと、音声発信指示コマンドと、を、端末装置１００から受信する（ステップＳ４４）。
【００９５】
通信制御部２９０は、端末通信部２３０が受信したコマンドが、音声発信指示コマンドであるか否かを判別する（ステップＳ４５）。このとき、通信制御部２９０は、端末通信部２３０が受信したコマンドが音声発信指示コマンドであると判別する（ステップＳ４５；Ｙｅｓ）。
【００９６】
その後、基地局通信部２２０は、通話先指示コマンドに指示された通話先へ、基地局１０を介して音声発信を行う（ステップＳ４６）。
【００９７】
ここで、端末装置１００は、前述のように、転送指示コマンドを携帯端末２００へ送信する。
【００９８】
その後、端末通信部２３０は、端末装置１００から転送指示コマンドを受信する。次に、通信制御部２９０は、転送指示コマンドに従って、基地局通信部２２０が基地局１０を介して通話先から受信した音声信号を、端末装置１００へ転送するように端末通信部２３０を制御する。
【００９９】
その後、端末装置１００は、前述したように、転送された音声信号に基づいて通話音声を出力する。また、端末装置１００は、端末装置１００のユーザが発した通話音声を表す音声信号を携帯端末２００へ送信する。
【０１００】
その後、端末通信部２３０は、端末装置１００から音声信号を受信する。次に、通信制御部２９０は、端末通信部２３０が受信した音声信号を、基地局１０を介して通話先へ転送するように基地局通信部２２０を制御する。
【０１０１】
このようにして、通信制御部１９０は、端末装置１００と通話先との間で音声信号を転送する（ステップＳ４７）。
【０１０２】
その後、通信制御部２９０は、端末装置１００との接続を終了するように端末通信部２３０を制御してから（ステップＳ４８）、被制御処理の実行を終了する。
【０１０３】
これらの構成によれば、通信制御部２９０は、端末通信部２３０が、音声発信指示コマンドと通話先指示コマンドとを受信すると、通話先指示コマンドで指示された通話先と通信するように基地局通信部２２０を制御する。このため、携帯端末２００は、端末装置１００に対する操作に応じて通話できるので、ユーザが、携帯端末２００の操作部２１４よりも端末装置１００の操作部１１４の操作に習熟していれば、携帯端末２００に対するユーザの操作性が向上する。
【０１０４】
次に、端末装置１００の動作について、ユーザが端末装置１００を操作して、携帯端末２００にメールを送信させる場合を例に挙げて説明する。
【０１０５】
ＣＰＵ１０１は、前述のように、起動後、図４に示す通信制御処理の実行を開始する。通信制御処理の実行を開始すると、通信制御部１９０は、ステップＳ０１及びステップＳ０２の処理を実行した後に、ステップＳ０１に戻り、電源がＯＦＦにされるまで、図４に示す処理を繰り返す。
【０１０６】
ステップＳ０２において、図６に示した発信制御処理の実行を開始すると、入力部１４０がステップＳ１１の処理を実行する。その後、通信制御部１９０がステップＳ１２からステップＳ１５の処理を実行する。
【０１０７】
このとき、ユーザは、メールの送信先のアドレスを指示する操作（以下、送信先指示操作という）と、当該送信先へのメール送信を指示する操作（以下、メール送信指示操作という）と、を、操作部１１４に行うとして説明する。
【０１０８】
入力部１４０は、操作部１１４から送信先指示操作に応じた操作信号（以下、送信先指示操作信号という）と、メール送信指示操作に応じた操作信号（以下、メール送信指示操作操作信号という）と、を入力する（ステップＳ１６）。
【０１０９】
次に、通信制御部１９０は、入力部１４０が入力した操作信号が、音声発信指示操作信号であるか否かを判別する（ステップＳ１７）。このとき、通信制御部１９０は、入力部１４０が入力した操作信号が、メール送信指示操作信号であって、音声発信指示操作信号でないと判別する（ステップＳ１７；Ｎｏ）。
【０１１０】
その後、通信制御部１９０は、入力された送信先指示操作信号と、メール送信指示操作信号と、に基づいて、送信先を指示する送信先指示コマンドと、送信先へのメール送信を指示するメール送信指示コマンドと、を、生成する。その後、通信制御部１９０は、送信先指示コマンドと、メール送信指示コマンドと、を、携帯端末２００へ送信するように、端末通信部１３０を制御する（ステップＳ２２）。
【０１１１】
ここで、携帯端末２００は、メール送信指示コマンドと、送信先指示コマンドと、を受信すると、メール送信指示コマンドに従い、送信先指示コマンドに指示された送信先へメールを送信する。
【０１１２】
その後、通信制御部１９０は、ステップＳ２１の処理を実行してから、発信制御処理の実行を終了する。
【０１１３】
これらの構成によれば、通信制御部１９０は、送信先指示操作信号とメール送信指示操作信号とを操作部１１４が出力すると、送信先指示コマンドとメール送信指示コマンドとを送信するように端末通信部１３０を制御する。このため、接続された携帯端末１００のメール送信を、操作部１１４に対する操作に応じて制御できるので、ユーザが、携帯端末２００の操作部２１４よりも端末装置１００の操作部１１４の操作に習熟していれば、携帯端末２００に対するユーザの操作性が向上する。
【０１１４】
次に、携帯端末２００の動作について、前述の送信先指示コマンド及びメール送信指示コマンドを携帯端末２００が受信する場合を例に挙げて説明する。
【０１１５】
ＣＰＵ２０１は、前述のように、起動後、図１０に示す通信制御処理の実行を開始する。通信制御処理の実行を開始すると、通信制御部２９０は、ステップＳ３１からステップＳ３３の処理を実行した後に、ステップＳ３１に戻り、電源がＯＦＦにされるまで、図１０に示す処理を繰り返す。
【０１１６】
ステップＳ３３において、図１２に示す被制御処理を開始すると、端末通信部２３０がステップＳ４１の処理を実行する。次に、通信制御部２９０は、ステップＳ４２及びステップＳ４３の処理を実行する。
【０１１７】
その後、端末通信部２３０は、送信先指示コマンドと、メール送信指示コマンドと、を、端末装置１００から受信する（ステップＳ４４）。
【０１１８】
次に、通信制御部２９０は、端末通信部２３０が受信したコマンドが音声発信指示コマンドであるか否かを判別する（ステップＳ４５）。このとき、通信制御部２９０は、端末通信部２３０が受信したコマンドが、メール送信指示コマンドであって、音声発信指示コマンドでないと判別する（ステップＳ４５；Ｎｏ）。
【０１１９】
その後、基地局通信部２２０は、送信先指示コマンドに指示されたメールアドレスを送信先とした電子メールを、当該メールアドレスを管理するメールサーバ４００へ基地局１０を介して送信する（ステップＳ４９）。
【０１２０】
その後、通信制御部２９０は、ステップＳ４８の処理を実行してから、被制御処理の実行を終了する。
【０１２１】
これらの構成によれば、通信制御部２９０は、端末通信部２３０が、メール送信指示コマンドと送信先指示コマンドとを受信すると、送信先指示コマンドで指示された送信先にメールを送信するように基地局通信部２２０を制御する。このため、携帯端末２００は、端末装置１００に対する操作に応じてメールを送信できるので、ユーザが、携帯端末２００の操作部２１４よりも端末装置１００の操作部１１４の操作に習熟していれば、携帯端末２００に対するユーザの操作性が向上する。
【０１２２】
次に、携帯端末２００が、図９（ａ）若しくは図９（ｂ）に示した設定テーブルを記憶している場合に、基地局１０から音声着信があった場合を例に挙げて、携帯端末２００の動作を説明する。
【０１２３】
ＣＰＵ２０１は、前述のように、起動後、図１０に示す通信制御処理の実行を開始する。通信制御処理の実行を開始すると、通信制御部２９０は、ステップＳ３１の処理を実行した後に、端末装置１００からの着信であるか、基地局１０からの着信であるか、を判別する（ステップＳ３２）。このとき、通信制御部２９０は、基地局１０からの着信であって、端末装置１００からの着信でないと判別する（ステップＳ３２；Ｎｏ）。
【０１２４】
その後、ＣＰＵ２０１は、着信の通知を制御する、図１３に示す通知制御処理を実行した後に（ステップＳ３４）、電源がＯＦＦにされるまで、図１０に示す処理を繰り返す。
【０１２５】
図１３に示す通知制御処理の実行を開始すると、通信制御部２９０は、情報記憶部２６０に記憶された設定テーブルを読み出す（ステップＳ５１）。
【０１２６】
次に、通信制御部２９０は、着信が音声着信であるか、メール着信であるか、を判別する（ステップＳ５２）。このとき、通信制御部２９０は、着信が音声着信であると判別する（ステップＳ５２；Ｙｅｓ）。
【０１２７】
その後、通信制御部２９０は、設定テーブルから読み出した「リモート動作モード」が「ON」であるか「OFF」であるかを判別する（ステップＳ５３）。
【０１２８】
通信制御部２９０が読み出した、図９（ａ）若しくは図９（ｂ）に示した設定テーブルには、リモート動作モードへの移行を許可し、かつリモート接続する端末装置１００で音声着信を通知することを許可する設定が保存されている。
【０１２９】
このため、通信制御部２９０は、「リモート動作モード」が「ON」であると判別する（ステップＳ５３；Ｙｅｓ）。
【０１３０】
次に、通信制御部２９０は、設定テーブルから読み出した「音声着信通知設定」が「ON」であるか「OFF」であるかを判別する（ステップＳ５４）。このとき、通信制御部２９０は、「音声着信通知設定」が「ON」であると判別する（ステップＳ５４；Ｙｅｓ）。
【０１３１】
次に、端末装置１００に音声着信を通知させるために、通信制御部２９０は、接続許可要求を送信するように端末通信部２３０を制御する（ステップＳ５５）。
【０１３２】
ここで、端末装置１００は、接続要求を受信すると必ず接続許可応答を送信するとして説明を行う。
【０１３３】
その後、端末通信部２３０は、端末装置１００から接続許可応答を受信する（ステップＳ５６）。
【０１３４】
次に、通信制御部２９０は、端末装置１００との接続を開始するように端末通信部２３０を制御する（ステップＳ５７）。
【０１３５】
次に、通信制御部２９０は、基地局通信部２２０に音声着信があったことを表す音声着信情報を端末装置１００へ送信するように、端末通信部２３０を制御する（ステップＳ５８）。
【０１３６】
その後、端末装置１００が音声着信情報を受信すると、音声着信情報に基づいて携帯端末２００に音声着信があったことを通知する。ここで、ユーザが端末装置１００の操作部１１４の受話キーを押し下げする操作（受話操作という）を行うとして説明を行う。この場合、端末装置１００は、発信元と通話を可能にするよう指示するコマンドを携帯端末２００へ送信する。端末通信部２３０は、当該コマンドを受信すると、発信元と携帯端末２００との接続を開始する。
【０１３７】
次に、通信制御部２９０は、端末装置１００と発信元との間で音声信号を転送した後に（ステップＳ５９）、端末装置１００との接続を終了してから（ステップＳ６０）、通知制御処理の実行を終了する。
【０１３８】
これらの構成によれば、通信制御部２９０は、情報記憶部２６０が記憶する音声着信通知設定が「ON」の場合に、基地局通信部２２０に音声着信があると、基地局通信部２２０に音声着信があったことを表す音声着信情報を端末装置１００へ送信するように端末通信部２３０を制御する。また、端末装置１００は、音声着信情報を受信すると、携帯端末２００の基地局通信部２２０に音声着信があったことを通知する。このため、携帯端末２００の音声着信を、端末装置１００に通知させることができるので、ユーザが、携帯端末２００の通知部２５０よりも端末装置１００の通知部１５０の通知に慣れていれば、携帯端末２００の音声着信ついてユーザの視認性が向上する。
【０１３９】
次に、端末装置１００の動作について、図１３のステップＳ５８で携帯端末２００から送信された音声着信情報を端末装置１００が受信する場合を例に挙げて説明する。
【０１４０】
ＣＰＵ１０１は、前述のように、起動後、図４に示す通信制御処理の実行を開始する。通信制御処理の実行を開始すると、通信制御部１９０は、ステップＳ０１の判別処理を実行する。このとき、ユーザは、端末装置１００を操作しなかったとして説明を行う。このため、通信制御部１９０は、操作部１１４が操作されなかったと判別する（ステップＳ０１；Ｎｏ）。
【０１４１】
その後、通信制御部１９０は、基地局通信部１２０若しくは端末通信部１３０に着信があったか否かを判別する（ステップＳ０３）。このとき、通信制御部２９０は、端末通信部２３０に着信があったと判別する（ステップＳ０３；Ｙｅｓ）。
【０１４２】
その後、通信制御部１９０は、着信の通知を制御する、図１４に示す通知制御処理を実行した後に（ステップＳ０４）、電源がＯＦＦにされるまで、図４の処理をステップＳ０１から繰り返す。
【０１４３】
尚、ステップＳ０３において、通信制御部１９０は、着信がなかったと判別すると（ステップＳ０３；Ｎｏ）、電源がＯＦＦにされるまで、図４の処理をステップＳ０１から繰り返す。
【０１４４】
図１４に示す通知制御処理の実行を開始すると、通信制御部１９０は、携帯端末２００からの着信であるか、基地局１０からの着信であるか、を判別する（ステップＳ８０）。このとき、通信制御部１９０は、携帯端末２００からの着信であると判別する（ステップＳ８０；Ｙｅｓ）。
【０１４５】
その後、端末通信部１３０は、図１３のステップＳ５５で送信された接続許可要求を、携帯端末２００から受信する（ステップＳ８１）。
【０１４６】
次に、通信制御部１９０は、図６のステップＳ１４及びステップＳ１５と同様の処理を実行する（ステップＳ８２及びステップＳ８３）。
【０１４７】
次に、端末通信部１３０は、図１３のステップＳ５８で送信された情報を携帯端末２００から受信する（ステップＳ８４）。
【０１４８】
その後、通信制御部１９０は、端末通信部１３０で受信された情報が、音声着信情報であるか否かを判別する（ステップＳ８５）。このとき、通信制御部１９０は、受信された情報が音声着信情報であると判別する（ステップＳ８５；Ｙｅｓ）。
【０１４９】
その後、通信制御部１９０は、音声着信情報に基づいて携帯端末２００に音声着信があったことを通知するように通知部１５０を制御する（ステップＳ８６）。
【０１５０】
次に、通信制御部１９０は、図６のステップＳ２０及びステップＳ２１と同様の処理を実行した後に（ステップＳ８７及びステップＳ８８）、通知制御処理の実行を終了する。
【０１５１】
これらの構成によれば、通信制御部１９０は、端末通信部１３０が音声着信情報を受信すると、携帯端末２００に音声着信があったことを通知部１５０に通知させる。このため、携帯端末２００の音声着信を、端末装置１００の通知部１５０が通知できるので、ユーザが、携帯端末２００の通知部２５０よりも端末装置１００の通知部１５０の通知に慣れていれば、携帯端末２００の音声着信についてユーザの視認性が向上する。
【０１５２】
次に、携帯端末２００が、図９（ｃ）に示した設定テーブルを記憶している場合に、基地局１０から音声着信があった場合を例に挙げて、携帯端末２００の動作を説明する。
【０１５３】
ＣＰＵ２０１は、前述のように、起動後、図１０に示す通信制御処理の実行を開始する。通信制御処理の実行を開始すると、通信制御部２９０は、ステップＳ３１、ステップＳ３２、及びステップＳ３４の処理を実行した後に、電源がＯＦＦにされるまで、図１０に示す処理をステップＳ３１から繰り返す。
【０１５４】
ステップＳ３４において、図１３に示す通知制御処理の実行を開始すると、通信制御部２９０は、情報記憶部２６０に記憶された設定テーブルを読み出す（ステップＳ５１）。
【０１５５】
次に、通信制御部２９０は、ステップＳ５２及びステップＳ５３の処理を実行した後に、設定テーブルから読み出した「音声着信通知設定」が「ON」であるか「OFF」であるかを判別する（ステップＳ５４）。
【０１５６】
通信制御部２９０が読み出した、図９（ｃ）に示した設定テーブルには、端末装置１００で音声着信を通知することを許可せず、携帯端末２００で音声着信を通知する設定が保存されている。
【０１５７】
このため、通信制御部２９０は、「音声着信通知設定」が「OFF」であると判別する（ステップＳ５４；Ｎｏ）。
【０１５８】
次に、通信制御部２９０は、音声着信があったことを通知するように通知部２５０を制御する（ステップＳ６１）。
【０１５９】
その後、表示パネル２１３の受話キーが表示された位置に対応した操作部２１４の位置をタッチする受話操作をユーザが行うとして説明を行う。
【０１６０】
この場合、入力部２４０は、受話操作に応じた操作信号を入力し、通信制御部２９０は、発信元と基地局通信部２２０との接続を開始する。次に、通信制御部１９０は、基地局通信部２２０と発信元との間で通話音声を表す音声信号を通信した後に（ステップＳ６２）、通知制御処理の実行を終了する。
【０１６１】
尚、携帯端末２００が、図９（ｄ）に示した設定テーブルを記憶している場合には、ステップＳ５３において、通信制御部２９０は、「リモート接続モード」が「OFF」であると判別する（ステップＳ５３；Ｎｏ）。その後、通信制御部２９０は、ステップＳ６１及びＳ６２の処理を実行してから、通知制御処理の実行を終了する。
【０１６２】
次に、携帯端末２００が、図９（ａ）若しくは図９（ｃ）に示した設定テーブルを記憶している場合に、基地局１０からメール着信があった場合を例に挙げて、携帯端末２００の動作を説明する。
【０１６３】
ＣＰＵ２０１は、前述のように、起動後、図１０に示す通信制御処理の実行を開始する。通信制御処理の実行を開始すると、通信制御部２９０は、ステップＳ３１、ステップＳ３２、及びステップＳ３４の処理を実行した後に、電源がＯＦＦにされるまで、図１０に示す処理をステップＳ３１から繰り返す。
【０１６４】
ステップＳ３４において、図１３に示す通知制御処理の実行を開始すると、通信制御部２９０は、情報記憶部２６０に記憶された設定テーブルを読み出す（ステップＳ５１）。
【０１６５】
次に、通信制御部２９０は、着信が音声着信であるか、メール着信であるか、を判別する（ステップＳ５２）。このとき、通信制御部２９０は、着信がメール着信であって、音声着信でないと判別する（ステップＳ５２；Ｎｏ）。
【０１６６】
その後、通信制御部２９０は、ステップＳ５３と同様の処理を実行した後に（ステップＳ６３）、設定テーブルから読み出した「メール着信通知設定」が「ON」であるか「OFF」であるかを判別する（ステップＳ６４）。
【０１６７】
通信制御部２９０が読み出した、図９（ａ）若しくは図９（ｃ）に示した設定テーブルには、端末装置１００でメール着信を通知することを許可する設定が保存されている。
【０１６８】
このため、通信制御部２９０は、「メール着信通知設定」が「ON」であると判別する（ステップＳ６４；Ｙｅｓ）。
【０１６９】
次に、通信制御部２９０は、ステップＳ５５からステップＳ５７と同様の処理を実行する（ステップＳ６５からステップＳ６７）。
【０１７０】
次に、通信制御部２９０は、基地局通信部２２０にメール着信があったことを表すメール着信情報を端末装置１００へ送信するように、端末通信部２３０を制御する（ステップＳ６８）。
【０１７１】
次に、基地局通信部２２０が基地局１０を介して、メールサーバ４００からメールを受信した後に、通信制御部２９０は、基地局通信部２２０が受信したメールを端末装置１００へ転送するように、端末通信部２３０を制御する（ステップＳ６９）。
【０１７２】
通信制御部２９０は、ステップＳ６０と同様の処理を実行してから（ステップＳ７０）、通知制御処理の実行を終了する。
【０１７３】
これらの構成によれば、通信制御部２９０は、情報記憶部２６０が記憶するメール着信通知設定が「ON」の場合に、基地局通信部２２０にメール着信があると、基地局通信部２６０にメール着信があったことを表すメール着信情報を端末装置１００へ送信するように端末通信部２３０を制御する。また、端末装置１００は、メール着信情報を受信すると、携帯端末２００の基地局通信部２２０にメール着信があったことを通知する。このため、携帯端末２００のメール着信を、端末装置１００に通知させることができるので、ユーザが、携帯端末２００の通知部２５０よりも端末装置１００の通知部１５０の通知に慣れていれば、携帯端末２００のメール着信についてユーザの視認性が向上する。
【０１７４】
次に、端末装置１００の動作について、図１３のステップＳ６８で携帯端末２００から送信されたメール着信情報を、端末装置１００が受信する場合を例に挙げて説明する。
【０１７５】
ＣＰＵ１０１は、前述のように、起動後、図４に示す通信制御処理の実行を開始する。通信制御処理の実行を開始すると、通信制御部１９０は、ステップＳ０１、ステップＳ０３、及びステップＳ０４の処理を実行した後に、電源がＯＦＦにされるまで、図４の処理をステップＳ０１から繰り返す。
【０１７６】
ステップＳ０４において、図１４に示す通知制御処理の実行を開始すると、通信制御部２９０は、ステップＳ８０からステップＳ８５の処理を実行する。
【０１７７】
その後、通信制御部１９０は、端末通信部１３０で受信された情報が、音声着信情報であるか否かを判別する（ステップＳ８５）。このとき、通信制御部１９０は、受信された情報がメール着信情報であって、音声着信情報でないと判別する（ステップＳ８５；Ｎｏ）。
【０１７８】
その後、通信制御部１９０は、メール着信情報に基づいて携帯端末２００にメール着信があったことを通知するように通知部１５０を制御する（ステップＳ８９）。
【０１７９】
その後、通信制御部１９０は、ステップＳ８８の処理を実行した後に、通知制御処理の実行を終了する。
【０１８０】
次に、ユーザがメールを表示させる操作を操作部１１４に行った場合における端末装置１００の動作について説明する。入力部１４０は、当該操作に応じた信号を通信制御部１９０に入力し、通信制御部１９０は、端末通信部１３０が受信したメールを表示装置１１３に表示させる。
【０１８１】
これらの構成によれば、通信制御部１９０は、端末通信部１３０がメール着信情報を受信すると、携帯端末２００にメール着信があったことを通知部１５０に通知させる。このため、携帯端末２００のメール着信を、端末装置１００の通知部１５０が通知できるので、ユーザが、携帯端末２００の通知部２５０よりも端末装置１００の通知部１５０の通知に慣れていれば、携帯端末２００のメール着信についてユーザの視認性が向上する。
【０１８２】
尚、ステップＳ８０において、通信制御部１９０は、基地局１０からの着信であって、携帯端末２００からの着信でないと判別すると（ステップＳ８０；Ｎｏ）、着信に応じて、ステップＳ８６及びステップＳ８７の処理、若しくは、ステップＳ８９の処理を実行した後に、通知制御処理の実行を終了する。
【０１８３】
次に、携帯端末２００が、図９（ｂ）に示した設定テーブルを記憶している場合に、基地局１０からメール着信があった場合を例に挙げて、携帯端末２００の動作を説明する。
【０１８４】
ＣＰＵ２０１は、前述のように、起動後、図１０に示す通信制御処理の実行を開始する。通信制御処理の実行を開始すると、通信制御部２９０は、ステップＳ３１、ステップＳ３２、及びステップＳ３４の処理を実行した後に、電源がＯＦＦにされるまで、図１０に示す処理をステップＳ３１から繰り返す。
【０１８５】
ステップＳ３４において、図１３に示す通知制御処理の実行を開始すると、通信制御部２９０は、情報記憶部２６０に記憶された設定テーブルを読み出す（ステップＳ５１）。
【０１８６】
次に、通信制御部２９０は、ステップＳ５２及びステップＳ６３の処理を実行した後に、設定テーブルから読み出した「メール着信通知設定」が「ON」であるか「OFF」であるかを判別する（ステップＳ６４）。
【０１８７】
通信制御部２９０が読み出した、図９（ｂ）に示した設定テーブルには、端末装置１００でメール着信を通知することを許可せず、携帯端末２００でメール着信を通知する設定が保存されている。
【０１８８】
このため、通信制御部２９０は、「メール着信通知設定」が「OFF」であると判別する（ステップＳ６４；Ｎｏ）。
【０１８９】
次に、通信制御部２９０は、メール着信があったことを通知するように通知部２５０を制御した後に（ステップＳ７１）、通知制御処理の実行を終了する。
【０１９０】
次に、ユーザがメールを表示させる操作を操作部２１４に行った場合における携帯端末２００の動作について説明する。入力部２４０は、当該操作に応じた信号を通信制御部２９０に入力し、通信制御部２９０は、基地局１０から端末通信部１３０が受信したメールを表示パネル２１３に表示させるように、パネルコントローラ２１４１を制御する。
【０１９１】
尚、携帯端末２００が、図９（ｄ）に示した設定テーブルを記憶している場合には、ステップＳ６３において、通信制御部２９０は、「リモート接続モード」が「OFF」であると判別する（ステップＳ６３；Ｎｏ）。その後、通信制御部２９０は、ステップＳ７１の処理を実行してから、通知制御処理の実行を終了する。
【０１９２】
＜変形例１＞
本実施形態では、図３に示す操作部１１４は、ユーザに通話先指示操作と、音声発信指示操作と、が行われると、当該通話先指示操作に応じた信号と、当該音声発信指示操作に応じた信号と、を出力すると説明した。また、通信制御部１９０は、操作部１１４がこれらの信号を出力すると、通話先指示操作で指示された通話先へ発信するように基地局通信部１２０を制御すると説明した。
【０１９３】
また、本実施形態では、操作部１１４は、ユーザに送信先指示操作と、メール送信指示操作と、が行われると、当該送信先指示操作に応じた信号と、当該メール送信指示操作に応じた信号と、を出力すると説明した。また、通信制御部１９０は、操作部１１４がこれらの信号を出力すると、送信先指示操作で指示されたメールアカウントを管理するメールサーバ４００へ電子メールを送信するように基地局通信部１２０を制御すると説明した。
【０１９４】
変形例１では、操作部１１４には、ユーザによって、通話先やメール送信先や、例えば、ウェブページを公開するウェブサーバなど、基地局１０を介して接続されたインタネット上の接続先を含む通信先を指示する通信先指示操作が行われる。また、操作部１１４には、ユーザによって、音声発信やメール発信やウェブページの送信リクエストの発信などを含む、当該通信先への発信を指示する通信指示操作が行われる。通信制御部１９０は、通信先指示操作に応じた信号と、発信指示操作に応じた信号と、を操作部１１４が出力すると、当該通信先指示操作で指示された通信先へ発信を行うように基地局通信部１２０を制御する。
【０１９５】
本実施形態では、端末通信部１３０は、音声発信指示コマンドと、通話先指示コマンドと、を、受信すると説明した。また、通信制御部１９０は、端末通信部１３０がこれらのコマンドを受信すると、通話先指示コマンドで指示された通話先へ発信するように基地局通信部１２０を制御すると説明した。さらに、端末通信部１３０は、メールアカウントを指示する送信先指示コマンドと、電子メールの送信を指示する送信指示コマンドと、を受信すると説明した。通信制御部１９０は、端末通信部１３０がこれらのコマンドを受信すると、送信先指示コマンドで指示されたメールアカウントを管理するメールサーバ４００へ電子メールを送信するように基地局通信部１２０を制御すると説明した。
【０１９６】
変形例１では、端末通信部１３０は、通話先やメール送信先やインタネット上の接続先を含む通信先を指示する通信先指示コマンドと、発信を指示する発信指示コマンドと、を、受信する。通信制御部１９０は、端末通信部１３０がこれらのコマンドを受信すると、通信先指示コマンドで指示された通信先へ、音声発信やメール発信やウェブページの送信リクエストの発信などを行うように基地局通信部１２０を制御する。
【０１９７】
これらの構成によれば、通信制御部２９０は、端末通信部２３０が、通信先指示コマンドと発信指示コマンドとを受信すると、通信先指示コマンドで指示された通信先と通信するように基地局通信部２２０を制御する。このため、携帯端末２００は、端末装置１００に対する操作に応じて通信できるので、ユーザが、携帯端末２００の操作部２１４よりも端末装置１００の操作部１１４の操作に習熟していれば、携帯端末２００に対するユーザの操作性が向上する。
【０１９８】
本実施形態では、図８に示す操作部２１４は、ユーザに通話先指示操作と、音声発信指示操作と、が行われると、当該通話先指示操作に応じた信号と、当該音声発信指示操作に応じた信号と、を出力すると説明した。また、通信制御部２９０は、操作部２１４がこれらの信号を出力すると、通話先を指示する通話先指示コマンドと、通話先への音声発信を指示する音声発信指示コマンドと、を送信するように端末通信部２３０を制御すると説明した。
【０１９９】
また本実施形態では、操作部２１４は、ユーザに送信先指示操作と、メール送信指示操作と、が行われると、当該送信先指示操作に応じた信号と、当該メール送信指示操作に応じた信号と、を出力すると説明した。また、通信制御部２９０は、操作部２１４がこれらの信号を出力すると、メールの送信先を指示する送信先指示コマンドと、送信先へのメール送信を指示するメール送信指示コマンドと、を送信するように端末通信部２３０を制御すると説明した。
【０２００】
変形例１では、操作部２１４は、ユーザによって、通話先やメール送信先やインタネット上の接続先を含む通信先を指示する通信先指示操作が行われる。また、操作部２１４は、ユーザによって、音声発信やメール発信やウェブページの送信リクエストの発信などを含む、当該通信先への発信を指示する発信指示操作が行われる。通信制御部２９０は、通信先指示操作に応じた信号と、発信指示操作に応じた信号と、を操作部２１４が出力すると、通信先を指示する通信先指示コマンドと、通信先への発信を指示する発信指示コマンドと、を送信するように端末通信部２３０を制御する。
【０２０１】
これらの構成によれば、通信制御部２９０は、通話先指示操作信号と発信指示操作信号とを操作部２１４が出力すると、通話先指示コマンドと発信指示コマンドとを送信するように端末通信部２３０を制御する。このため、接続された携帯端末１００の通信を、操作部２１４に対する操作に応じて制御できるので、ユーザが、携帯端末２００の操作部２１４よりも端末装置１００の操作部１１４の操作に習熟していれば、携帯端末２００に対するユーザの操作性が向上する。
【０２０２】
＜変形例２＞
本実施形態では、図１１に示した情報記憶部２６０は、音声着信やメール着信を端末装置１００に通知させるか否かを定めた「リモート動作モード（着信通知設定）」と、「リモート動作モード」が「ON」の場合に音声着信を端末装置１００に通知させるか否かを定めた「音声着信通知設定」を記憶すると説明した。また、通信制御部２９０は、情報記憶部２６０が記憶する「リモート動作モード」及び「音声着信通知設定」が「ON」の場合に、基地局通信部２２０に音声着信があると、音声着信情報を端末装置１００へ送信するように端末通信部２３０を制御すると説明した。さらに、通信制御部２９０は、情報記憶部２６０が記憶する「リモート動作モード」若しくは「音声着信通知設定」が「OFF」の場合に、基地局通信部２２０に音声着信があると、音声着信を通知するように通知部２５０を制御すると説明した。
【０２０３】
また本実施形態では、通知部２５０は、基地局通信部２２０のメール着信を通知し、情報記憶部２６０は、「リモート動作モード」が「ON」の場合にメール着信を端末装置１００に通知させるか否かを定めた「メール着信通知設定」を記憶すると説明した。また、通信制御部２９０は、情報記憶部２６０が記憶する「リモート動作モード」及び「メール着信通知設定」が「ON」の場合に、基地局通信部２２０にメール着信があると、メール着信情報を端末装置１００へ送信するように端末通信部２３０を制御すると説明した。さらに、通信制御部２９０は、情報記憶部２６０が記憶する「リモート動作モード」若しくは「メール着信通知設定」が「OFF」の場合に、基地局通信部２２０にメール着信があると、メール着信を通知するように通知部２５０を制御すると説明した。
【０２０４】
変形例２では、音声着信やメール着信やデータ着信などの着信を端末装置１００に通知させるか否かを定めた「リモート動作モード（着信設定）」と、「リモート動作モード」が「ON」の場合にデータ着信を端末装置１００に通知させるか否かを定めた「データ着信通知設定」を記憶する。通信制御部２９０は、「リモート動作モード」及び「データ着信通知設定」が「ON」の場合に、基地局通信部２２０にデータ着信があると、データ着信情報を端末装置１００へ送信するように端末通信部２３０を制御する。さらに、通信制御部２９０は、情報記憶部２６０が記憶する「リモート動作モード」若しくは「データ着信通知設定」が「OFF」の場合に、基地局通信部２２０にデータ着信があると、データ着信を通知するように通知部２５０を制御する。
【０２０５】
＜変形例４＞
本実施形態では、図３に示したＣＰＵ１０１は、表示装置１１３と協働して、図５に示した通知部１５０として機能すると説明した。また、通知部１５０は、音声着信の有無及びメール着信の有無を、例えば、メッセージの表示若しくはアイコンの表示により端末装置１００のユーザへ通知すると説明した。しかし、変形例４では、ＣＰＵ１０１は、音声入出力回路１１５及びスピーカ１１７と協働して通知部１５０として機能し、音声着信の有無及びメール着信の有無を、例えば、着信音の出力により端末装置１００のユーザへ通知する。
【０２０６】
本実施形態では、図８に示したＣＰＵ２０１は、パネルコントローラ２１４１及び表示パネル２１３と協働して、図１１に示した通知部２５０として機能すると説明した。また、通知部２５０は、音声着信の有無及びメール着信の有無を、例えば、メッセージの表示若しくはアイコンの表示により携帯端末２００のユーザへ通知すると説明した。しかし、変形例４では、ＣＰＵ２０１は、音声入出力回路２１５及びスピーカ２１７と協働して通知部２５０として機能し、音声着信の有無及びメール着信の有無を、例えば、着信音の出力により携帯端末２００のユーザへ通知する。
【０２０７】
尚、本実施形態若しくは変形例１から４のいずれかに係る機能を実現するための構成を予め備えた端末装置１００及び携帯端末２００として提供できることはもとより、プログラムの適用により、既存の端末装置及び携帯端末を本発明に係る端末装置及び携帯端末として機能させることもできる。上記実施形態に係る端末装置１００の各機能構成を実現させるための通信制御プログラムを、既存の端末装置を制御するコンピューター（ＣＰＵなど）が実行できるように適用することで、本実施形態若しくは変形例１から４のいずれかに係る端末装置として機能させることができる。同様に、すなわち、上記実施形態若しくは変形例１から４のいずれかに係る携帯端末２００の各機能構成を実現させるための通信制御プログラムを、既存の携帯端末を制御するコンピューター（ＣＰＵなど）が実行できるように適用することで、本実施形態若しくは変形例１から４のいずれかに係る携帯端末として機能させることができる。
【０２０８】
このようなプログラムの配布方法は任意であり、例えば、メモリカード、ＣＤ−ＲＯＭ、又はＤＶＤ−ＲＯＭなどの記録媒体に格納して配布できる他、インターネットなどの通信媒体を介して配布することもできる。尚、本発明の通信制御方法は、端末装置１００及び携帯端末２００を用いて実施できる。また、通信システム１を用いた通信方法を実施できる。
【０２０９】
また、本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【０２１０】
上記の実施形態の一部又は全部は、以下の付記のようにも記載されうるが、以下には限られない。
【０２１１】
（付記１）
ユーザの操作に応じた信号を出力する操作手段と、
基地局と通信する基地局通信手段と、
接続された端末装置と通信する端末通信手段と、
前記操作手段が、通信先を指示する通信先指示操作に応じた信号と、前記通信先への発信を指示する発信指示操作に応じた信号と、を出力すると、前記通信先指示操作で指示された通信先へ発信するように前記基地局通信手段を制御し、前記端末通信手段が、発信を指示する発信指示コマンドと、通信先を指示する通信先指示コマンドと、を受信すると、前記通信先指示コマンドで指示された通信先へ発信するように前記基地局通信手段を制御する通信制御手段と、を備える、
ことを特徴とする携帯端末。
【０２１２】
（付記２）
前記通信先は、通話先を含み、
前記通信制御手段は、通話先を指示する通話先指示操作に応じた信号と、前記通話先への音声発信を指示する音声発信指示操作に応じた信号と、を前記操作手段が出力すると、前記通話先指示操作で指示された通話先へ音声発信するように前記基地局通信手段を制御し、前記端末通信手段が、音声発信を指示する音声発信指示コマンドと、通話先を指示する通話先指示コマンドと、を受信すると、前記通話先指示コマンドで指示された通話先へ音声発信するように前記基地局通信手段を制御する、
ことを特徴とする付記１に記載の携帯端末。
【０２１３】
（付記３）
前記通信先は、電子メールの送信先を含み、
前記通信制御手段は、電子メールの送信先のメールアカウントを指示する送信先指示操作に応じた信号と、電子メールの送信を指示するメール送信指示操作に応じた信号と、を前記操作手段が出力すると、前記送信先指示操作で指示されたメールアカウントを管理するメールサーバへ電子メールを送信するように前記基地局通信手段を制御し、メールアカウントを指示する送信先指示コマンドと、電子メールの送信を指示する送信指示コマンドと、を前記端末通信手段が受信すると、前記送信先指示コマンドで指示されたメールアカウントを管理するメールサーバへ電子メールを送信するように前記基地局通信手段を制御する、
ことを特徴とする付記１又は２に記載の携帯端末。
【０２１４】
（付記４）
前記基地局通信手段に着信があったことを通知する通知手段と、
着信を前記端末装置に通知させるか否かを定めた通知設定を記憶する記憶手段と、をさらに備え、
前記通信制御手段は、前記記憶手段が記憶する通知設定が着信を前記端末装置に通知させると定める場合に、前記基地局通信手段に着信があると、前記基地局通信手段に着信があったことを表す着信情報を前記端末装置へ送信するように前記端末通信手段を制御し、前記通知設定が着信を前記端末装置に通知させないと定める場合に、前記基地局通信手段に着信があると、当該着信を通知するように前記通知手段を制御する、
ことを特徴とする付記１から３のいずれか一つに記載の携帯端末。
【０２１５】
（付記５）
前記着信は、音声着信を含み、
前記通知手段は、前記基地局通信手段に音声着信があったことを通知し、
前記記憶手段は、音声着信を前記端末装置に通知させるか否かを定めた音声着信通知設定を記憶し、
前記通信制御手段は、前記記憶手段が記憶する音声着信通知設定が音声着信を前記端末装置に通知させると定める場合に、前記基地局通信手段に音声着信があると、前記基地局通信手段に音声着信があったことを表す音声着信情報を前記端末装置へ送信するように前記端末通信手段を制御し、前記音声着信通知設定が音声着信を前記端末装置に通知させないと定める場合に、前記基地局通信手段に音声着信があると、当該音声着信を通知するように前記通知手段を制御する、
ことを特徴とする付記４に記載の携帯端末。
【０２１６】
（付記６）
前記着信は、メール着信を含み、
前記基地局通信手段は、電子メールを受信し、
前記通知手段は、前記基地局通信手段にメール着信があったことを通知し、
前記記憶手段は、メール着信を前記端末装置に通知させるか否かを定めたメール着信通知設定をさらに記憶し、
前記通信制御手段は、前記記憶手段が記憶するメール着信通知設定がメール着信を前記端末装置に通知させると定める場合に、前記基地局通信手段にメール着信があると、前記基地局通信手段にメール着信があったことを表すメール着信情報を前記端末装置へ送信するように前記端末通信手段を制御し、前記メール着信通知設定がメール着信を前記端末装置に通知させないと定める場合に、前記基地局通信手段にメール着信があると、当該メール着信を通知するように前記通知手段を制御する、
ことを特徴とする付記４又は５に記載の携帯端末。
【０２１７】
（付記７）
ユーザの操作に応じた信号を出力する操作手段と、基地局と通信する基地局通信手段と、接続された端末装置と通信する端末通信手段と、を備えた携帯端末のコンピュータを、
前記操作手段が、通信先を指示する通信先指示操作に応じた信号と、前記通信先への発信を指示する発信指示操作に応じた信号と、を出力すると、前記通信先指示操作で指示された通信先へ発信するように前記基地局通信手段を制御し、前記端末通信手段が、発信を指示する発信指示コマンドと、通信先を指示する通信先指示コマンドと、を受信すると、前記通信先指示コマンドで指示された通信先へ発信するように前記基地局通信手段を制御する通信制御手段、として機能させる、
ことを特徴とする通信制御プログラム。
【０２１８】
（付記８）
操作手段が、ユーザの操作に応じた信号を出力する操作ステップと、
基地局通信手段が、基地局と通信する基地局通信ステップと、
端末通信手段が、接続された端末装置と通信する端末通信ステップと、
前記操作手段が、通信先を指示する通信先指示操作に応じた信号と、前記通信先への発信を指示する発信指示操作に応じた信号と、を前記操作ステップで出力すると、前記通信先指示操作で指示された通信先へ発信するように前記基地局通信手段を制御し、前記端末通信手段が、発信を指示する発信指示コマンドと、通信先を指示する通信先指示コマンドと、を前記端末通信ステップで受信すると、前記通信先指示コマンドで指示された通信先へ前記基地局通信ステップで発信するように前記基地局通信手段を、通信制御部が制御する通信制御ステップと、を有する、
ことを特徴とする通信制御方法。
【０２１９】
（付記９）
ユーザの操作に応じた信号を出力する操作手段と、
接続された携帯端末と通信する端末通信手段と、
前記操作手段が、通信先を指示する通信先指示操作に応じた信号と、前記通信先への発信を指示する発信指示操作に応じた信号と、を出力すると、前記通信先を指示する通信先指示コマンドと、前記通信先への発信を指示する発信指示コマンドと、を送信するように前記端末通信手段を制御する通信制御手段と、を備える、
ことを特徴とする端末装置。
【０２２０】
（付記１０）
ユーザの操作に応じた信号を出力する操作手段と、接続された携帯端末と通信する端末通信手段と、を備えた端末装置のコンピュータを、
前記操作手段が、通信先を指示する通信先指示操作に応じた信号と、前記通信先への発信を指示する発信指示操作に応じた信号と、を出力すると、前記通信先を指示する通信先指示コマンドと、前記通信先への発信を指示する発信指示コマンドと、を送信するように前記端末通信手段を制御する通信制御手段、として機能させる、
ことを特徴とする通信制御プログラム。
【０２２１】
（付記１１）
操作手段が、ユーザの操作に応じた信号を出力する操作ステップと、
端末通信手段が、接続された携帯端末と通信する端末通信ステップと、
前記操作手段が、通信先を指示する通信先指示操作に応じた信号と、前記通信先への発信を指示する発信指示操作に応じた信号と、を前記操作ステップで出力すると、前記通信先を指示する通信先指示コマンドと、前記通信先への発信を指示する発信指示コマンドと、を前記端末通信ステップで送信するように前記端末通信手段を、通信制御手段が制御する通信制御ステップと、を備えた、
ことを特徴とする通信制御方法。
【０２２２】
（付記１２）
ユーザの操作に応じた信号を出力する操作手段、を有する端末装置と、
基地局と通信する基地局通信手段と、
前記端末装置の操作手段が、通信先を指示する通信先指示操作に応じた信号と、前記通信先への発信を指示する発信指示操作に応じた信号と、を出力すると、前記通信先指示操作で指示された通信先へ発信するように前記基地局通信手段を制御する通信制御手段と、を有する携帯端末と、で構成される、
ことを特徴とする通信システム。
【０２２３】
（付記１３）
端末装置の操作手段が、ユーザの操作に応じた信号を出力する操作ステップと、
基地局通信手段が、基地局と通信する基地局通信ステップと、
前記端末装置の操作手段が、通信先を指示する通信先指示操作に応じた信号と、前記通信先への発信を指示する発信指示操作に応じた信号と、を前記操作ステップで出力すると、前記通信先指示操作で指示された通信先へ前記基地局通信ステップで発信するように、携帯端末の通信制御手段が前記基地局通信手段を制御する通信制御ステップと、を有する、
ことを特徴とする通信方法。
【符号の説明】
【０２２４】
１０                基地局
１００              端末装置
２００，３００      携帯端末
４００              メールサーバ
１０１，２０１      ＣＰＵ
１０２，２０２      ＲＯＭ
１０３，２０３      ＲＡＭ
１０４，２０４      外部記憶装置
１０５，２０５      第１アンテナ
１０６，２０６      第１信号処理回路
１０７，２０７      第２アンテナ
１０８，２０８      第２信号処理回路
１１３              表示装置
１１３１，２１４１  パネルコントローラ
１１３２，２１３    表示パネル
１１４１            入力制御回路
１１４２            キーボード
１１４，２１４      操作部
１１５，２１５      音声入出力回路
１１６，２１６      マイクロフォン
１１７，２１７      スピーカ
１１８，２１８      内部クロック
１１９，２１９      バス
２１４３            タッチパネル
１２０，２２０      基地局通信部
１３０，２３０      端末送信部
１４０，２４０      入力部
１５０，２５０      通知部
１６０，２６０      情報記憶部
１９０，２９０      通信制御部
【図１】
2013197629.tif 000003
【図２】
2013197629.tif 000004
【図３】
2013197629.tif 000005
【図４】
2013197629.tif 000006
【図５】
2013197629.tif 000007
【図６】
2013197629.tif 000008
【図７】
2013197629.tif 000009
【図８】
2013197629.tif 000010
【図９】
2013197629.tif 000011
【図１０】
2013197629.tif 000012
【図１１】
2013197629.tif 000013
【図１２】
2013197629.tif 000014
【図１３】
2013197629.tif 000015
【図１４】
2013197629.tif 000016